(57)【要約】【課題】市場から回収された樹脂成形品は、塗膜の材質、添加剤の種類、ラベルの有無、印刷の有無等、無数の組み合わせがあり、リサイクルに不適な組み合わせのものが大半を占めるため、真にリサイクルに適したものを分別するためには、表示に基づく一次分別の後、各種測定器を用いた二次分別が必要である。【解決手段】樹脂成形品に従来から付されているＩＳＯリサイクルコードおよび／または樹脂の名称に関する情報に加えてさらに、塗装に関する第１の情報と、印刷に関する第２の情報と、接着剤に関する第３の情報と、ラベルに関する第４の情報と、含有物質に関する第５の情報とを付して市場に送り出し、市場から回収された際に、前記各種情報がリサイクルに適した所定の組み合わせに合致した場合に、粉砕、ペレット化する。【選択図】  図１
2005349671.tif 000002
【特許請求の範囲】
【請求項１】
ＩＳＯリサイクルコードおよび／または樹脂の名称に関する情報が付された樹脂成形品を粉砕、ペレット化して樹脂ペレットを製造する再生樹脂ペレットの製造方法において、
前記樹脂成形品は、前記ＩＳＯリサイクルコードおよび／または樹脂の名称に関する情報に加えてさらに、
前記樹脂成形品に施された塗装に関する第１の情報と、
前記樹脂成形品に施された印刷に関する第２の情報と、
前記樹脂成形品に用いられた接着剤に関する第３の情報と、
前記樹脂成形品に貼付されたラベルに関する第４の情報と、
前記樹脂成形品の含有物質に関する第５の情報とを付して市場に送り出し、
前記樹脂成形品が市場から回収された際に、前記各種情報がリサイクルに適した所定の組み合わせに合致した場合に、粉砕、ペレット化することを特徴とする再生樹脂ペレットの製造方法
【請求項２】
さらに、前記樹脂成形品の成形に用いられた成形法に関する第６の情報を付したことを特徴とする請求項１に記載の再生樹脂ペレットの製造方法
【請求項３】
少なくとも前記第１の情報、前記第２の情報、前記第３の情報および前記第４の情報を各々一桁表示にし、
前記第５の情報を、元素および／または法規制に対応した四桁表示にしたことを特徴とする請求項１または請求項２に記載の再生樹脂ペレットの製造方法
【発明の詳細な説明】
【技術分野】
【０００１】
本発明は、樹脂成形品を市場に送り出す際に付した情報に基づいて、廃棄物として回収された樹脂成形品から再生樹脂ペレットを製造する方法に関するものである。
【背景技術】
【０００２】
従来のプラスチック製品は、ＩＳＯ１１４６９に基づくリサイクルコードにより材料表示がなされている。
市場から回収された樹脂成形品のリサイクルを効率的に行うために、このリサイクルコードに加えて各種の表示を付した樹脂成形品が従来より数多く提案されている。
かかる従来技術は、回収された後の目視による分別（一次分別）を容易にすることのみに資するものである（例えば、特許文献１〜６参照）。
【特許文献１】特開２００１−２３２６４６号公報
【特許文献２】特開平１１−２２６１８０号公報
【特許文献３】特開平１１−１０９８３１号公報
【特許文献４】特開平１０−２２８２４１号公報
【特許文献５】特開平８−３４０１８２号公報
【特許文献６】特開平７−３３４０９０号公報
【発明の開示】
【発明が解決しようとする課題】
【０００３】
しかしながら、市場から回収された樹脂成形品の材質表示等による一次分別が容易になっても、塗膜の材質、添加剤の種類、ラベルの有無、印刷の有無等、無数の組み合わせがあり、リサイクルに不適な組み合わせのものが大半を占めるため、真にリサイクルに適したものを分別するためには、各種測定器を用いた二次分別が必要であるという問題がある。すなわち、二次分別には、多くの設備投資と、多くの作業工数を要するため、これがプラスチックのマテリアルリサイクルが進展しない主な原因となっていた。
【０００４】
本発明は、かかる問題を解決するためになされたものであり、樹脂成形品に適切な表示を付することにより、一次分別後にこれまで必要であった各種測定器を用いた物性の把握検査、難燃性の把握検査等による二次分別を不要とし、樹脂成形品を安価かつ容易にリサイクルする再生樹脂ペレットの製造方法を提供するものである。
【課題を解決するための手段】
【０００５】
請求項１に記載の再生樹脂ペレットの製造方法は、ＩＳＯリサイクルコードおよび／または樹脂の名称に関する情報が付された樹脂成形品を粉砕、ペレット化して樹脂ペレットを製造する再生樹脂ペレットの製造方法において、樹脂成形品は、ＩＳＯリサイクルコードおよび／または樹脂の名称に関する情報に加えてさらに、樹脂成形品に施された塗装に関する第１の情報と、樹脂成形品に施された印刷に関する第２の情報と、樹脂成形品に用いられた接着剤に関する第３の情報と、樹脂成形品に貼付されたラベルに関する第４の情報と、樹脂成形品の含有物質に関する第５の情報とを付して市場に送り出し、樹脂成形品が市場から回収された際に、これらの各種情報がリサイクルに適した所定の組み合わせに合致した場合に、粉砕、ペレット化するものである。
【０００６】
かかる構成により、各種の測定器、検査装置等を用いた物性の把握検査、難燃性の把握検査等をすることなく、樹脂成形品に付された情報のみに基づいて、樹脂成形品を分別でき、容易かつ安価に再生樹脂ペレットを製造することができるという効果を奏する。
【０００７】
請求項２に記載の再生樹脂ペレットの製造方法は、請求項１において、さらに、樹脂成形品の成形に用いられた成形法に関する第６の情報を付したものである。
かかる構成により、樹脂成形品を製造する際に用いた成形法により樹脂成形品中に発生した残さを特定できるため、樹脂成形品に付された情報のみに基づいて、樹脂成形品を分別でき、容易かつ安価に再生樹脂ペレットを製造することができるという効果を奏する。
【０００８】
請求項３に記載の再生樹脂ペレットの製造方法は、請求項１または請求項２において、少なくとも第１〜４の情報を各々一桁表示にし、第５の情報を、元素および／または法規制に対応した四桁表示にしたことにより、樹脂成形品に付された情報のみに基づいて、樹脂成形品を分別でき、容易かつ安価に法規制等に対応した再生樹脂ペレットを製造することができるという効果を奏する。
【発明の効果】
【０００９】
本発明により、各種測定器による物性等の検査をすることなく、樹脂成形品に付された情報のみに基づいてリサイクルに適した樹脂成形品を分別し、容易かつ安価に再生樹脂ペレットを製造することができるという効果を奏する。
【発明を実施するための最良の形態】
【００１０】
以下に実施例を用いて、本発明を詳細に説明する。
【実施例１】
【００１１】
本発明に係る第１実施例を図１および図３を用いて説明する。
図１は、本発明を実施するために樹脂成形品に付する情報についての表示の一例を示す図であり、図３は、該情報を用いることにより実現する再生樹脂ペレットの製造工程を示すフロー図である。
【００１２】
本発明で用いる情報７は、図１に示すように、従来から樹脂成形品に表示されているＩＳＯリサイクルコード９と、樹脂メーカー及び樹脂名８からなる情報に以下の情報を加えたものである。
【００１３】
第１の情報１は、樹脂成形品に施した塗装に関する情報である。
樹脂成形品に塗装が施されている場合、塗料の特性がリサイクル特性を決定するため、塗料の種類を分類したものである。
具体的には、塗装が施されていない場合は「０」、アクリルラッカーで塗装が施されている場合は「１」、リサイクル塗料を用いて塗装が施されている場合は「Ｒ」、これら以外の塗料を用いて塗装されている場合は「２」なる表示を樹脂成形品に付することにより、分別が容易になる。
ここで、リサイクル塗料とは、加熱溶融した場合に成形品を構成する樹脂と相容（溶）性がある塗料をいう。例えば、株式会社トウペのリペレ（商標）塗料が該当する。
【００１４】
第２の情報２は、樹脂成形品に施された印刷に関する情報である。
樹脂成形品に印刷が施されている場合、インクの特性がリサイクル特性を決定するため、インクの種類を分類したものである。
具体的には、印刷が施されていない場合は「０」、リサイクル対応のインクを用いて印刷されている場合は「Ｒ」、それ以外のインクを用いて印刷されている場合は「１」なる表示を樹脂成形品に付することにより、分別が容易になる。
ここで、リサイクルインクとは、加熱溶融した場合に成形品を構成する樹脂と相容（溶）性があるインクをいう。
【００１５】
第３の情報３は、樹脂成形品に用いられた接着剤に関する情報である。
樹脂成形品に接着剤が用いられている場合、接着剤の特性がリサイクル特性を決定するため、接着剤の種類を分類したものである。
具体的には、接着剤を用いていない場合は「０」、リサイクル対応の接着剤を用いている場合は「Ｒ」、それ以外の接着剤を用いている場合は「１」なる表示を樹脂成形品に付することにより、分別が容易になる。
ここで、リサイクル対応の接着剤とは、加熱溶融した場合に成形品を構成する樹脂と相容（溶）性がある接着剤をいう。
【００１６】
第４の情報４は、樹脂成形品に貼付されたラベルに関する情報である。
樹脂成形品にラベルが用いられている場合、ラベルの特性がリサイクル特性を決定するため、ラベルの種類を分類したものである。
具体的には、ラベルを用いていない場合は「０」、リサイクル対応のラベルを用いている場合は「Ｒ」、それ以外のラベルを用いている場合は「１」なる表示を樹脂成形品に付することにより、分別が容易になる。
ここで、リサイクル対応のラベルとは、加熱溶融した場合に成形品を構成する樹脂と相容（溶）性があるラベルをいう。
【００１７】
第５の情報５は、樹脂成形品に添加された化学物質に関する情報である。
樹脂成形品に化学物質が添加されている場合、化学物質がリサイクルに適しているか否か、また、樹脂成形品から製造された再生樹脂ペレットがＲｏＨＳ、ＢＡＭといった規制・指令に対して対応できるか否かを分類できるようにしたものである。
具体的には、表１に示すように、化学物質を、レベルＡ〜Ｃ及びその他ハロゲン化合物の４ランクに分類し、各レベルについて包含される物質に適したグループ分けをすることにより、四桁の表示で含有物質を特定することができ、法規制またはリサイクルに適さない物質を含有するものを排除することができる。
【００１８】
【表１】
2005349671.tif 000003
【００１９】
元素による分類、規制・指令による分類では表示する量が膨大となるが、表１に示した分類おいては、ＲｏＨＳ指令、ＪＥＩＴＡ  Ａランク（規制）、ＪＥＩＴＡ  Ｂランク（監視）等の各規制・指令に記載されている化学物質を基礎として分類したため、必要最小限の物質について含有の有無を簡潔に表示できるようになっている。
【００２０】
表１のレベルＡは、ＲｏＨＳ指令の化学物質を基礎として分類したものであり、添加されていない場合は「０」、金属化合物が添加されている場合は「１」、臭素化合物が添加されている場合は「２」、金属化合物および臭素化合物が添加されている場合は「９」と表示することにより、分別が容易になる。
【００２１】
表１のレベルＢは、ＪＥＩＴＡ  Ａランク（規制）の化学物質からレベルＡの化学物質を除いたものを基礎として分類したものであり、添加されていない場合は「０」、スズ化合物が添加されている場合は「１」、塩素化合物が添加されている場合は「２」、アンチモンが添加されている場合は「３」、その他の化学物質が添加されている場合は「４」、複数（「１」〜「４」の２種以上）添加されている場合は「９」と表示することにより、分別が容易になる。
【００２２】
表１のレベルＣは、ＪＥＩＴＡ  Ｂランク（監視）の化学物質を基礎として分類したものであり、添加されていない場合は「０」、ヒ素等が添加されている場合は「１」、貴金属が添加されている場合は「２」、ヒ素等および貴金属が添加されている場合は「９」と表示することにより、分別が容易になる。
【００２３】
表１のハロゲン化合物は、添加されていない場合は「０」、臭素難燃剤が添加されている場合は「１」、その他のハロゲン化合物が添加されている場合は「２」、臭素難燃剤およびその他のハロゲン化合物が添加されている場合は「９」と表示することにより、分別が容易になる。
【００２４】
第６の情報６は、樹脂成形品の成形に用いられた成形法に関する情報である。
樹脂成形品の製造に用いる成形法によっては、リサイクル特性に影響するため、成形法の種類を分類したものである。
具体的には、ソリッド成形またはガスアシスト成形の場合は「０」、発泡成形の場合は「１」、その他の成形法の場合は「２」なる表示を樹脂成形品に付することにより、分別が容易になる。
【００２５】
ソリッド成形およびガスアシスト成形は樹脂成形品のリサイクルへの影響は無いが、発泡成形の場合は使用する発泡剤により残さが発生するため、残さ成分を特定する文字または記号を用いてもよい。また、その他の成形法については一般的に２種以上の樹脂を用いるため、リサイクル適性は低くなる。ただし、同一樹脂の２層成形、例えば、ＡＢＳバージン材＋ＡＢＳリサイクル材の場合はリサイクル適性を持っている。
【００２６】
前記した表示に基づいて、リサイクルに適した表示の組み合わせを示すと、表２のようになる。
【００２７】
【表２】
2005349671.tif 000004
【００２８】
表２に示すように、塗装に関しての第１の情報、印刷に関する第２の情報、ラベルに関する第３の情報および接着剤に関する第４の情報が「０」または「１」であって、第５の情報としてのレベルＡ、レベルＢおよびハロゲン化合物が「０」であり、かつレベルＣが「０」または「２」である表示がされている樹脂成形品は、リサイクル適性が高いと判断できる。
【００２９】
さらに、成形法としての第６の情報が表示されている樹脂成形品に関して、その表示が「０」であれば、リサイクル適性が高いと判断できる。
したがって、樹脂成形品に付された各種情報の表示が、表２に記載されたリサイクル可能な組み合わせであれば、測定器等を用いて物性等を測定することなく、樹脂成形品に付された表示を目視することのみで分別し、粉砕、ペレット化して再生樹脂ペレットを製造することができる。
【００３０】
ただし、表２に示した情報に合致したことのみをもってリサイクル適性を判断することはできない。
例えば、図４に示した情報７の場合、第１の情報から第６の情報までが全て「０」であるため、表２に基づいて判断すると、リサイクル可能であると判断できるが、ＩＳＯリサイクルコードがＰＣ＋ＡＢＳアロイであるため、リサイクル適性はない。
以上、示したように、リサイクル適性は、ＩＳＯリサイクルコードと、第１の情報から第５の情報若しくはさらに第６の情報を加えた全ての情報に基づいて、総合的に判断する必要がある。
【００３１】
次に、図３を用いて、前記した情報に基づいてどのように再生樹脂ペレットが製造されるかを説明する。
市場から回収された樹脂成形品は、分別工程１０において、前記した各種情報のみに基づいて分別される。例えば、第１の情報１の表示が、「２」であり、リサイクル塗料およびアクリルラッカー以外の塗料が塗装されている樹脂成形品は、サーマル／埋め立て工程１１において処理され、リサイクルされない。
【００３２】
また、例えば、図２に示すように、第１の情報１および第２の情報２が「Ｒ」、第３の情報３および第４の情報４が「０」であって、第５の情報５のレベルＡ、レベルＢ、レベルＣおよびハロゲン化合物が「０」であり、第６の情報６が「０」と表示されている樹脂成形品は、リサイクル工程の入り口である粗粉砕工程１２および粉砕工程１３に送られ、リサイクルされる。
【００３３】
粗粉砕工程１２および粉砕工程１３で粉砕された樹脂成形品の粉砕物は、次工程の洗浄脱水工程で洗浄され、異物・汚れ等が取り除かれた後、混合均一化工程１９で粉砕物をタンブラー等に入れられて略均一に混合される。
その後、押出し工程２０およびペレット化工程２７で再生樹脂ペレットが製造され、袋詰め工程３２で所定量ごとに袋詰めされて出荷される。
【００３４】
以上、説明したように、樹脂成形品の表示が表２に示すリサイクル可能な組み合わせに適合する場合は、従来必要であった二次分別としての樹脂の物性把握工程１５および難燃性把握工程２２を省略でき、かつ、前記した各種情報の組み合わせに基づいて、必要に応じて投入する助剤／顔料の量（工程１７、１８）および難燃剤の量（工程２４、２５、２６）を決定することができる。
【実施例２】
【００３５】
本発明に係る他の実施例について、以下に詳細に説明する。
説明を簡単にするため、実施例１との相違点のみを説明し、同一である部分は同一の符号を付して説明を省略する。
【００３６】
実施例１において、樹脂成形品に付した表示のみに基づいて目視により分別し、粉砕、ペレット化して再生樹脂ペレットを製造する方法を示したが、本実施例においては、生成された再生樹脂ペレットが法規制に対応しているか否かを表示に基づいて判断する方法を示す。
【００３７】
図５に示された情報７が付された樹脂成形品は、第１〜４の情報が全て「０」であり、第５の情報５については、レベルＡが「０」、レベルＢが「３」、レベルＣが「０」、ハロゲン化合物が「１」であり、第６の情報６が「０」であるため、表２に基づいて判断すると、リサイクルが可能である。
また、ＩＳＯリサイクルコードの材料表示はＡＢＳであるから、この樹脂成形品はリサイクル可能である。
【００３８】
しかし、第５の情報５のハロゲン化合物の表示が「１」であるため、ＢＡＭ対応ではない材料であることがわかる。
すなわち、市場から回収されてきた本表示が付された樹脂成形品は、実施例１で説明したリサイクル工程に投入することにより、ＢＡＭ対応不可という条件付きの再生樹脂ペレットにすることができる。
【００３９】
前記した実施例は、説明のために例示したものであって、本発明としてはそれらに限定されるものではなく、特許請求の範囲、発明の詳細な説明および図面の記載から当業者が認識することができる本発明の技術的思想に反しない限り、変更および付加が可能である。
【００４０】
例えば、実施例１および実施例２においては、第１〜４の情報の後に、四桁の第５の情報を記載した表示を示したが、四桁の第５の情報の後に第１〜４の情報を記載して表示しても良い。
また、第５の情報は、規制物質が表示のみで容易に判断できる分類であれば良く、三桁以下の表示または五桁以上の表示であっても良い。
【産業上の利用可能性】
【００４１】
本発明は、市場から回収された廃品としての樹脂成形品のリサイクルに適用される。
【図面の簡単な説明】
【００４２】
【図１】本発明を実施するために樹脂成形品に付する情報についての表示の一例を示す図
【図２】本発明を実施するために樹脂成形品に付する情報についての表示の一例を示す図
【図３】情報を用いることにより実現する再生樹脂ペレットの製造工程を示すフロー図
【図４】本発明を実施するために樹脂成形品に付する情報についての表示の一例を示す図
【図５】本発明を実施するために樹脂成形品に付する情報についての表示の一例を示す図
【符号の説明】
【００４３】
１  第１の情報
２  第２の情報
３  第３の情報
４  第４の情報
５  第５の情報
６  第６の情報
７  情報
８  樹脂メーカーおよび樹脂名
９  ＩＳＯリサイクルコード
【図１】
2005349671.tif 000005
【図２】
2005349671.tif 000006
【図３】
2005349671.tif 000007
【図４】
2005349671.tif 000008
【図５】
2005349671.tif 000009